【事件の表示】
　特許第３２８０１４６号「留め具」の請求項１、２に係る特許に対する特許異議の申立てについて、次のとおり決定する。
【結　論】
　特許第３２８０１４６号の請求項１、２に係る特許を取り消す。
【理　由】
１．手続の経緯
　特許第３２８０１４６号の請求項１及び２に係る発明についての出願は、平成５年１２月２９日に特許出願され、平成１４年２月２２日にその発明について特許権の設定登録がなされ、その後、その特許について、異議申立人株式会社応用技術研究所により特許異議の申立てがなされ、平成１５年２月７日（起案日）に取消しの理由が通知され、その指定期間内である平成１５年４月２２日に特許異議意見書が提出されたものである。
　
　
２．本件発明
　本件請求項１及び２に係る発明は、特許明細書及び図面の記載からみて、その特許請求の範囲の請求項１及び請求項２に記載された次のとおりのものである。
「【請求項１】　磁極方向に孔を貫設されている永久磁石と、この永久磁石の一方の磁極面に備えられる強磁性部材とを備えている吸着具と、
　前記吸着具における前記強磁性部材の備えられていない側に対して当接又は近接される強磁性部材からなる被吸着具又は強磁性部材を備えた被吸着具とよりなり、
　前記吸着具における強磁性部材に備えられており且つ該強磁性部材から該吸着具の孔内に突設されている突起部と、前記被吸着具における強磁性部材に備えられており且つ該強磁性部材から突設されている突起部とが、前記孔内において吸着され、
　又は、前記吸着具における強磁性部材に備えられており且つ該強磁性部材から該吸着具の孔内に突設されている突起部と、前記被吸着具における強磁性部材とが吸着され、
　又は、前記被吸着具における強磁性部材に備えられており且つ該強磁性部材から突設されている突起部と、前記吸着具における強磁性部材とが、該吸着具の孔内において吸着される留め具であって、
　前記吸着具の磁極面に備えられている前記強磁性部材が、該強磁性部材の周側部の少なくとも一部を、該強磁性部材の備えられている前記永久磁石の磁極面から外方に突き出してあると共に、該磁極面から突き出されている該強磁性部材の突き出し幅が、０．１ｍｍ以上、２．０ｍｍ以下であることを特徴とする留め具。
【請求項２】　磁極方向に孔を貫設されている永久磁石と、この永久磁石の一方の磁極面に備えられる強磁性部材とを備えている吸着具と、
　前記吸着具における前記強磁性部材の備えられていない側に対して当接又は近接される強磁性部材からなる被吸着具、又は強磁性部材を備えた被吸着具とよりなり、
　前記吸着具における強磁性部材に備えられており且つ該強磁性部材から該吸着具の孔内に突設されている突起部と、前記被吸着具における強磁性部材に備えられており且つ該強磁性部材から突設されている突起部とが、前記孔内において吸着され、
　又は、前記吸着具における強磁性部材に備えられており且つ該強磁性部材から該吸着具の孔内に突設されている突起部と、前記被吸着具における強磁性部材とが吸着され、
　又は、前記被吸着具における強磁性部材に備えられており且つ該強磁性部材から突設されている突起部と、前記吸着具における強磁性部材とが、該吸着具の孔内において吸着される留め具であって、
　前記被吸着具における強磁性部材が、この強磁性部材の周側部の少なくとも一部を、前記吸着具における永久磁石の磁極面から外方に突き出すように該吸着具に吸着されると共に、該磁極面から突き出される該強磁性部材の突き出し幅が、０．１ｍｍ以上、２．０ｍｍ以下とされており、
　且つ、前記吸着具の磁極面に備えられている前記強磁性部材が、該強磁性部材の周側部の少なくとも一部を、該強磁性部材の備えられている前記永久磁石の磁極面から外方に突き出してあると共に、該磁極面から突き出されている該強磁性部材の突き出し幅が、０．１ｍｍ以上、２．０ｍｍ以下とされていることを特徴とする留め具。」
　
　
３．引用刊行物に記載された発明
　当審で通知した取消しの理由で引用した刊行物２７の１（昭和６３年審判第９６８９号の平成２年１０月５日提出の回答書に添付の甲第７号証（異議申立人の提出した甲第２７号証−１））は、株式会社応用技術研究所の「品名　トワニーＡＳＳＹ」「品番　ＡＫ−２」の製図図面であり、その「尺度」は「４／１」であり、その右肩部分には、「部品ＮＯ　ＡＫ−２−１〜ＡＫ−２−８」として、「品名」が下からＮＯ順に、順次「ケース、磁石、ワッシャー、〃、芯金、〃、フット、座金」と記載されている（以下、「ケース１」、「磁石２」、「ワッシャー３」、「ワッシャー４」、「芯金５」、「芯金６」、「フット７」、「座金８」と略記する。）。
　この内、「磁石２」は、孔を貫設されているものである。
　そして、「尺度」が「４／１」、つまり４倍であるので、特許異議申立書正本により実測し、その値を１／４してみると、「磁石２」の直径が１７．５ｍｍ、「ワッシャー３」と「ワッシャー４」の直径が、いずれも１８ｍｍである。
　
　また、同刊行物２７の３（昭和６３年審判第９６８９号の平成３年２月８日提出の回答書に添付の甲第９号証の２（異議申立人の提出した甲第２７号証−３））は、証人原長志の証人調書であり、
符番４．部分に、「証人は鞄、ハンドバックの蓋に磁石の吸着力を利用して止める金具を取扱ったことがありますか。
　あります。」と、
符番６．部分に、「止め金具の構造を述べてください。
　外型はほぼ１９ｍｍ位で、雌型の方にドーナツ型の永久磁石が入り、その裏側には鉄材があり、鉄板に凸のダボが付いてその磁石をかぶせているのが真ちゅう材料で、カバーをしています。雄型は鉄板に対して鉄のダボが付いています。それを雄、雌合わせる。それにはあしがかしめてあり、ブラザをあてて折り曲げて取付ます。」と、
符番７．部分に、「結合する前のものはどういう物に分かれていますか。
　永久磁石、鉄材、真ちゅう、取付ける時にあしが付いていて雌型は胴に、雄型はかぶせる方に付けます。」と、
符番１０９．部分に、「図面（甲第７号証）を見てサイズをどのように検討したのですか。
　大きさもドーナツ型の永久磁石は１８ｍｍでカバーを完成すると１９ｍｍになってしまう。磁力の落ちない方法を要求してましたから、これがせいいっぱいであるという話をしたと思います。」と記載されている。
　
　
４．対比・判断
ａ．本件請求項１に係る発明について
　本件請求項１に係る発明と刊行物２７の１に記載された発明とを対比すると、刊行物２７の１に記載された発明における「ワッシャー」と「芯金」は、例えば、刊行物２７の３の符番６．、符番７．に記載されているように、通常、鉄材のような強磁性材料からなることは、当該技術分野の慣用技術であるから、刊行物２７の１に記載された発明の「磁石２」、「ワッシャー３」、「磁石２とワッシャー３」、「ワッシャー４」、「芯金６」、「芯金５」は、それぞれ、本件請求項１に係る発明の「磁極方向に孔を貫設されている永久磁石」、「この永久磁石の一方の磁極面に備えられる強磁性部材」、「吸着具」、「前記吸着具における前記強磁性部材の備えられていない側に対して当接又は近接される強磁性部材からなる被吸着具又は強磁性部材を備えた被吸着具」、「前記吸着具における強磁性部材に備えられており且つ該強磁性部材から該吸着具の孔内に突設されている突起部」、「前記被吸着具における強磁性部材に備えられており且つ該強磁性部材から突設されている突起部」に相当し、また、上記刊行物２７の１に記載された発明の「芯金６」と「芯金５」は、孔内において吸着されるものである。
　また、刊行物２７の１に記載の「ワッシャー３」の周側部は、「磁石２」の磁極面から外方に突き出ているので、本件請求項１に係る発明の「前記吸着具の磁極面に備えられている前記強磁性部材が、該強磁性部材の周側部の少なくとも一部を、該強磁性部材の備えられている前記永久磁石の磁極面から外方に突き出してある」部分に相当する。
　さらに、刊行物２７の１に記載の発明は、刊行物２７の３の符番４．に記載のような、「磁石の吸着力を利用して止める金具」であり、本件請求項１に係る発明の「留め具」に相当する。
　すると、両者は、「磁極方向に孔を貫設されている永久磁石と、この永久磁石の一方の磁極面に備えられる強磁性部材とを備えている吸着具と、
　前記吸着具における前記強磁性部材の備えられていない側に対して当接又は近接される強磁性部材からなる被吸着具又は強磁性部材を備えた被吸着具とよりなり、
　前記吸着具における強磁性部材に備えられており且つ該強磁性部材から該吸着具の孔内に突設されている突起部と、前記被吸着具における強磁性部材に備えられており且つ該強磁性部材から突設されている突起部とが、前記孔内において吸着される留め具であって、
　前記吸着具の磁極面に備えられている前記強磁性部材が、該強磁性部材の周側部の少なくとも一部を、該強磁性部材の備えられている前記永久磁石の磁極面から外方に突き出してあることを特徴とする留め具。」において一致し、
本件請求項１に係る発明では、磁極面から突き出されている強磁性部材の突き出し幅が、０．１ｍｍ以上、２．０ｍｍ以下であるのに対して、刊行物２７の１に記載の発明では、ワッシャー３からなる強磁性部材の突き出し幅が明確ではない点（相違点１）、本件請求項１に係る発明では、前記吸着具における強磁性部材に備えられており且つ該強磁性部材から該吸着具の孔内に突設されている突起部と、前記被吸着具における強磁性部材とが吸着され、又は、前記被吸着具における強磁性部材に備えられており且つ該強磁性部材から突設されている突起部と、前記吸着具における強磁性部材とが、該吸着具の孔内において吸着されるのに対して、刊行物２７の１に記載の発明には、このような記載がない点（相違点２）で、一応相違している。
　そこで、相違点１、２について検討する。
ア）相違点１について
　刊行物２７の１に記載の発明では、実測値である「磁石２」の直径が１７．５ｍｍ、「ワッシャー３」の直径が１８ｍｍであるので、これらの値から、「ワッシャー３」と「磁石２」の直径の差の半分の値（半径の差の値）は０．２５ｍｍとなる。
　また、刊行物２７の３の符番１０９．には、永久磁石は１８ｍｍであるとの記載が認められ、しかも、この符番１０９．中の「図面（甲第７号証）」は、刊行物２７の１のことであるので、「磁石２」の直径を１８ｍｍとして上記実測値から比例計算すると、「ワッシャー３」と「磁石２」の直径の差の半分の値（半径の差の値）は、０．２６ｍｍとなる。
　そして、「ワッシャー３」と「磁石２」は、それぞれ前記したように、本件請求項１にかかる発明の「この永久磁石の一方の磁極面に備えられる強磁性部材」と「永久磁石」に相当するので、「ワッシャー３」と「磁石２」の直径の差の半分の値は、磁極面から突き出されている強磁性部材の突き出し幅に相当し、０．２６ｍｍであるから、本件請求項１に係る発明の突き出し幅、０．１ｍｍ以上、２．０ｍｍ以下の範囲内の値であり、一致している。
イ）相違点２について
　本件請求項１に係る発明は、「前記吸着具における強磁性部材に備えられており且つ該強磁性部材から該吸着具の孔内に突設されている突起部と、前記被吸着具における強磁性部材とが吸着され、又は、前記被吸着具における強磁性部材に備えられており且つ該強磁性部材から突設されている突起部と、前記吸着具における強磁性部材とが、該吸着具の孔内において吸着される」ものであるが、これらの構成要件である「前記吸着具における強磁性部材に備えられており且つ該強磁性部材から該吸着具の孔内に突設されている突起部と、前記被吸着具における強磁性部材とが吸着され」ることと、「前記被吸着具における強磁性部材に備えられており且つ該強磁性部材から突設されている突起部と、前記吸着具における強磁性部材とが、該吸着具の孔内において吸着される」ことは、上記一致点に挙げた「前記吸着具における強磁性部材に備えられており且つ該強磁性部材から該吸着具の孔内に突設されている突起部と、前記被吸着具における強磁性部材に備えられており且つ該強磁性部材から突設されている突起部とが、前記孔内において吸着され」ることと、いずれも「又は、」で接続されている択一的な記載であり、この内のどれか１つの構成要件が一致していれば、本件請求項１に係る発明と刊行物２７の１に記載の発明とは一致しているといえるから、上記相違点２が存在していても、本件請求項１に係る発明と刊行物２７の１に記載の発明とは一致していることになる。
　ちなみに、相違点２の「前記吸着具における強磁性部材に備えられており且つ該強磁性部材から該吸着具の孔内に突設されている突起部と、前記被吸着具における強磁性部材とが吸着され」ることと、「前記被吸着具における強磁性部材に備えられており且つ該強磁性部材から突設されている突起部と、前記吸着具における強磁性部材とが、該吸着具の孔内において吸着される」ことに関して述べると、吸着のための突起部を、吸着具における強磁性部材のみに備えることと、被吸着具における強磁性部材のみに備えることは、上記一致点に挙げた、突起部を吸着具と被吸着具における強磁性部材の両方に備えることと同様に、いずれも、当該技術分野の慣用技術と認められる。
　
　したがって、本件請求項１に係る発明は、刊行物２７の１に記載の発明と同一である。
　
ｂ．本件請求項２に係る発明について
　本件請求項２に係る発明と刊行物２７の１に記載された発明とを対比すると、刊行物２７の１に記載された発明における「ワッシャー」と「芯金」は、例えば、刊行物２７の３の符番６．、符番７．に記載されているように、通常、鉄材のような強磁性材料からなることは、当該技術分野の慣用技術であるから、刊行物２７の１に記載された発明の「磁石２」、「ワッシャー３」、「磁石２とワッシャー３」、「ワッシャー４」、「芯金６」、「芯金５」は、それぞれ、本件請求項２に係る発明の「磁極方向に孔を貫設されている永久磁石」、「この永久磁石の一方の磁極面に備えられる強磁性部材」、「吸着具」、「前記吸着具における前記強磁性部材の備えられていない側に対して当接又は近接される強磁性部材からなる被吸着具、又は強磁性部材を備えた被吸着具」、「前記吸着具における強磁性部材に備えられており且つ該強磁性部材から該吸着具の孔内に突設されている突起部」、「前記被吸着具における強磁性部材に備えられており且つ該強磁性部材から突設されている突起部」に相当し、また、上記刊行物２７の１に記載された発明の「芯金６」と「芯金５」は、孔内において吸着されるものである。
　また、刊行物２７の１に記載の「ワッシャー４」の周側部は、「磁石２」の磁極面から外方に突き出すように吸着されるものであるので、本件請求項２に係る発明の「前記被吸着具における強磁性部材が、この強磁性部材の周側部の少なくとも一部を、前記吸着具における永久磁石の磁極面から外方に突き出すように該吸着具に吸着される」部分に相当し、刊行物２７の１に記載の「ワッシャー３」の周側部は、「磁石２」の磁極面から外方に突き出ているので、本件請求項２に係る発明の「前記吸着具の磁極面に備えられている前記強磁性部材が、該強磁性部材の周側部の少なくとも一部を、該強磁性部材の備えられている前記永久磁石の磁極面から外方に突き出してある」部分に相当する。
　さらに、刊行物２７の１に記載の発明は、刊行物２７の３の符番４．に記載のような、「磁石の吸着力を利用して止める金具」であり、本件請求項２に係る発明の「留め具」に相当する。
　すると、両者は、「磁極方向に孔を貫設されている永久磁石と、この永久磁石の一方の磁極面に備えられる強磁性部材とを備えている吸着具と、
　前記吸着具における前記強磁性部材の備えられていない側に対して当接又は近接される強磁性部材からなる被吸着具、又は強磁性部材を備えた被吸着具とよりなり、
　前記吸着具における強磁性部材に備えられており且つ該強磁性部材から該吸着具の孔内に突設されている突起部と、前記被吸着具における強磁性部材に備えられており且つ該強磁性部材から突設されている突起部とが、前記孔内において吸着される留め具であって、
　前記被吸着具における強磁性部材が、この強磁性部材の周側部の少なくとも一部を、前記吸着具における永久磁石の磁極面から外方に突き出すように該吸着具に吸着され、且つ、前記吸着具の磁極面に備えられている前記強磁性部材が、該強磁性部材の周側部の少なくとも一部を、該強磁性部材の備えられている前記永久磁石の磁極面から外方に突き出してあることを特徴とする留め具。」において一致し、
本件請求項２に係る発明では、磁極面から突き出される被吸着具における強磁性部材の突き出し幅が、０．１ｍｍ以上、２．０ｍｍ以下であるのに対して、刊行物２７の１に記載の発明では、被吸着具におけるワッシャー４からなる強磁性部材の突き出し幅が明確ではない点（相違点３）、磁極面から突き出されている吸着具の磁極面に備えられている強磁性部材の突き出し幅が、０．１ｍｍ以上、２．０ｍｍ以下であるのに対して、刊行物２７の１に記載の発明では、吸着具の磁極面に備えられているワッシャー３からなる強磁性部材の突き出し幅が明確ではない点（相違点４）、本件請求項２に係る発明では、前記吸着具における強磁性部材に備えられており且つ該強磁性部材から該吸着具の孔内に突設されている突起部と、前記被吸着具における強磁性部材とが吸着され、又は、前記被吸着具における強磁性部材に備えられており且つ該強磁性部材から突設されている突起部と、前記吸着具における強磁性部材とが、該吸着具の孔内において吸着されるのに対して、刊行物２７の１に記載の発明には、このような記載がない点（相違点５）で、一応相違している。
　そこで、この相違点３〜５について検討する。
ウ）相違点３について
　刊行物２７の１に記載の発明では、実測値である「磁石２」の直径が１７．５ｍｍ、「ワッシャー４」の直径が１８ｍｍであるので、これらの値から、「ワッシャー４」と「磁石２」の直径の差の半分の値（半径の差の値）は０．２５ｍｍとなる。
　また、刊行物２７の３の符番１０９．には、永久磁石は１８ｍｍであるとの記載が認められ、しかも、この符番１０９．中の「図面（甲第７号証）」は、刊行物２７の１のことであるので、「磁石２」の直径を１８ｍｍとして上記実測値から比例計算すると、「ワッシャー４」と「磁石２」の直径の差の半分の値（半径の差の値）は、０．２６ｍｍとなる。
　そして、「ワッシャー４」と「磁石２」は、それぞれ前記したように、本件請求項２にかかる発明の「前記吸着具における前記強磁性部材の備えられていない側に対して当接又は近接される強磁性部材（からなる被吸着具）」と「永久磁石」に相当するので、「ワッシャー４」と「磁石２」の直径の差の半分の値は、被吸着具における強磁性部材の突き出し幅に相当し、０．２６ｍｍであるから、本件請求項２に係る発明の突き出し幅、０．１ｍｍ以上、２．０ｍｍ以下の範囲内の値であり、一致している。
エ）相違点４について
　刊行物２７の１に記載の発明では、実測値である「磁石２」の直径が１７．５ｍｍ、「ワッシャー３」の直径が１８ｍｍであるので、これらの値から、「ワッシャー３」と「磁石２」の直径の差の半分の値（半径の差の値）は０．２５ｍｍとなる。
　また、刊行物２７の３の符番１０９．には、永久磁石は１８ｍｍであるとの記載が認められ、しかも、この符番１０９．中の「図面（甲第７号証）」は、刊行物２７の１のことであるので、「磁石２」の直径を１８ｍｍとして上記実測値から比例計算すると、「ワッシャー３」と「磁石２」の直径の差の半分の値（半径の差の値）は、０．２６ｍｍとなる。
　そして、「ワッシャー３」と「磁石２」は、それぞれ前記したように、本件請求項２にかかる発明の「この永久磁石の一方の磁極面に備えられる強磁性部材」と「永久磁石」に相当するので、「ワッシャー３」と「磁石２」の直径の差の半分の値は、磁極面から突き出されている強磁性部材の突き出し幅に相当し、０．２６ｍｍであるから、本件請求項２に係る発明の突き出し幅、０．１ｍｍ以上、２．０ｍｍ以下の範囲内の値であり、一致している。
オ）相違点５について
　本件請求項２に係る発明は、「前記吸着具における強磁性部材に備えられており且つ該強磁性部材から該吸着具の孔内に突設されている突起部と、前記被吸着具における強磁性部材とが吸着され、又は、前記被吸着具における強磁性部材に備えられており且つ該強磁性部材から突設されている突起部と、前記吸着具における強磁性部材とが、該吸着具の孔内において吸着される」ものであるが、これらの構成要件である「前記吸着具における強磁性部材に備えられており且つ該強磁性部材から該吸着具の孔内に突設されている突起部と、前記被吸着具における強磁性部材とが吸着され」ることと、「前記被吸着具における強磁性部材に備えられており且つ該強磁性部材から突設されている突起部と、前記吸着具における強磁性部材とが、該吸着具の孔内において吸着される」ことは、上記一致点に挙げた「前記吸着具における強磁性部材に備えられており且つ該強磁性部材から該吸着具の孔内に突設されている突起部と、前記被吸着具における強磁性部材に備えられており且つ該強磁性部材から突設されている突起部とが、前記孔内において吸着され」ることと、いずれも「又は、」で接続されている択一的な記載であり、この内のどれか１つの構成要件が一致していれば、本件請求項２に係る発明と刊行物２７の１に記載の発明とは一致しているといえるから、上記相違点５が存在していても、本件請求項２に係る発明と刊行物２７の１に記載の発明とは一致していることになる。
　ちなみに、相違点５の「前記吸着具における強磁性部材に備えられており且つ該強磁性部材から該吸着具の孔内に突設されている突起部と、前記被吸着具における強磁性部材とが吸着され」ることと、「前記被吸着具における強磁性部材に備えられており且つ該強磁性部材から突設されている突起部と、前記吸着具における強磁性部材とが、該吸着具の孔内において吸着される」ことに関して述べると、吸着のための突起部を、吸着具における強磁性部材のみに備えることと、被吸着具における強磁性部材のみに備えることは、上記一致点に挙げた、突起部を吸着具と被吸着具における強磁性部材の両方に備えることと同様に、いずれも、当該技術分野の慣用技術と認められる。
　
　したがって、本件請求項２に係る発明は、刊行物２７の１に記載の発明と同一である。
　
　
５．むすび
　以上のとおり、本件請求項１及び２に係る発明は、その出願前に日本国内において頒布された上記刊行物２７の１に記載された発明であるから、本件請求項１及び２に係る発明についての特許は、特許法第２９条第１項第３号の規定に該当し、特許を受けることができないものである。
　したがって、本件請求項１及び２に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１５年１２月２６日（２００３．１２．２６）